(57)【要約】【課題】低コストな隠蔽媒体、隠蔽媒体の製造方法を提供する。【解決手段】隠蔽媒体１は、第１片１０の縁部と、第２片２０の縁部とを接着することにより、第１片１０の内面と、第２片２０の内面とを隠蔽する接着層４０を備え、第１片１０の縁部は、凹部１５を備える。【選択図】図１
2018008442.tif 000002
【特許請求の範囲】
【請求項１】
第１片及び第２片が折部で二つ折りされた隠蔽媒体であって、
前記第１片の縁部と、前記第２片の縁部とを接着することにより、前記第１片及び前記第２片が二つ折りされた状態で閉じる接着部を備え、
前記第１片の縁部は、凹部又は凸部を備えること、
を特徴とする隠蔽媒体。
【請求項２】
請求項１に記載の隠蔽媒体において、
前記第２片の縁部のうち前記第１片の前記凹部又は前記凸部に対応する部分は、前記凹部又は前記凸部を備えないこと、
を特徴とする隠蔽媒体。
【請求項３】
請求項１又は請求項２に記載の隠蔽媒体において、
前記第１片の縁部は、前記折部に平行な部分を備えないこと、
を特徴とする隠蔽媒体。
【請求項４】
請求項１から請求項３のいずれかに記載の隠蔽媒体において、
前記接着部は、前記凹部又は前記凸部の周囲には設けられていないこと、
を特徴とする隠蔽媒体。
【請求項５】
請求項１から請求項４のいずれかに記載の隠蔽媒体において、
前記凹部は、前記折部とは反対側に開口しており、前記折部とは反対側からピンを挿入可能であること、
を特徴とする隠蔽媒体。
【請求項６】
請求項１から請求項５のいずれかに記載の隠蔽媒体の製造方法であって、
隠蔽媒体を開いた状態で、前記折部に直交する方向を送り方向にし、前記第２片側を下流側にし、前記送り突起を前記凹部に挿入した状態で、又は前記送り突起を前記凸部に引っ掛けた状態で、隠蔽媒体を送る送り工程と、
前記第２片側の先端を当接させて、隠蔽媒体を湾曲させる湾曲工程と、
湾曲させた状態の隠蔽媒体を、ローラ間を通すことにより二つ折りする二つ折り工程とを備えること、
を特徴とする隠蔽媒体の製造方法。
【請求項７】
請求項６に記載の隠蔽媒体の製造方法であって、
前記送り工程は、送り方向に配列された複数の前記送り突起で、複数の隠蔽媒体を送り、
前記第２片の縁部に接着剤塗布ローラで接着剤を塗布する接着剤塗布工程を備え、
前記接着剤塗布ローラの円周の長さと、送り方向における前記送り突起間の間隔とが等しいこと、
を特徴とする隠蔽媒体の製造方法。
【発明の詳細な説明】
【技術分野】
【０００１】
本発明は、隠蔽情報を隠蔽する隠蔽媒体、隠蔽媒体の製造方法に関するものである。
【背景技術】
【０００２】
従来、二つ折りした状態で糊付けした三角くじがあった（例えば特許文献１）。
しかし、従来の三角くじは、三角くじを多面付けしたシート材を、糊付け、二つ折り後に、さらにプレス加工によって個片化していた。このため、従来の三角くじは、工程が多く高コストであった。
【先行技術文献】
【特許文献】
【０００３】
【特許文献１】特開昭５９−６２１９２号公報
【発明の概要】
【発明が解決しようとする課題】
【０００４】
本発明の課題は、低コストな隠蔽媒体、隠蔽媒体の製造方法を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、第１片（１０，３１０）及び第２片（２０，３２０）が折部（３０）で二つ折りされた隠蔽媒体であって、前記第１片の縁部と、前記第２片の縁部とを接着することにより、前記第１片及び前記第２片が二つ折りされた状態で閉じる接着部（４０）を備え、前記第１片の縁部は、凹部（１５）又は凸部（３１５）を備えること、を特徴とする隠蔽媒体である。
・第２の発明は、第１の発明の隠蔽媒体において、前記第２片（２０，３２０）の縁部のうち前記第１片（１０，３１０）の前記凹部（１５）又は前記凸部（３１５）に対応する部分は、前記凹部又は前記凸部を備えないこと、を特徴とする隠蔽媒体である。
・第３の発明は、第１又は第２の発明の隠蔽媒体において、前記第１片（１０，３１０）の縁部は、前記折部（３０）に平行な部分を備えないこと、を特徴とする隠蔽媒体である。
・第４の発明は、第１から第３のいずれかの発明の隠蔽媒体において、前記接着部（４０）は、前記凹部（１５）又は前記凸部（３１５）の周囲には設けられていないこと、を特徴とする隠蔽媒体である。
・第５の発明は、第１から第４のいずれかの発明の隠蔽媒体において、前記凹部（１５）は、前記折部（３０）とは反対側に開口しており、前記折部とは反対側からピン（７５）を挿入可能であること、を特徴とする隠蔽媒体である。
・第６の発明は、第１から第５のいずれかの発明の隠蔽媒体の製造方法であって、隠蔽媒体を開いた状態で、前記折部（３０）に直交する方向を送り方向にし、前記第２片（２０，３２０）側を下流側にし、前記送り突起（７５）を前記凹部（１５）に挿入した状態で、又は前記送り突起（３７５）を前記凸部（３１５）に引っ掛けた状態で、隠蔽媒体を送る送り工程と、前記第２片側の先端を当接させて、隠蔽媒体を湾曲させる湾曲工程と、湾曲させた状態の隠蔽媒体を、ローラ（９５ａ）間を通すことにより二つ折りする二つ折り工程とを備えること、を特徴とする隠蔽媒体の製造方法である。
・第７の発明は、第６の発明の隠蔽媒体の製造方法であって、前記送り工程は、送り方向に配列された複数の前記送り突起（７５，３７５）で、複数の隠蔽媒体を送り、前記第２片（２０，３２０）の縁部に接着剤塗布ローラ（８０）で接着剤を塗布する接着剤塗布工程を備え、前記接着剤塗布ローラの円周の長さと、送り方向における前記送り突起間の間隔（Ｐ７５）とが等しいこと、を特徴とする隠蔽媒体の製造方法である。
【発明の効果】
【０００７】
本発明によれば、低コストな隠蔽媒体、隠蔽媒体の製造方法を提供できる。
【図面の簡単な説明】
【０００８】
【図１】第１実施形態のくじ１を説明する図である。
【図２】第１実施形態の配列シート１Ａ、個片工程を説明する図である。
【図３】第１実施形態のくじ製造システム５０を説明する図である。
【図４】第１実施形態のテーブル６３の構成を説明する図（図３（Ｂ）の４−４部断面図）である。
【図５】第１実施形態の湾曲工程、二つ折り工程を説明する図である。
【図６】第２実施形態のくじ２０１を説明する図である。
【図７】第３実施形態のくじ３０１を説明する図である。
【発明を実施するための形態】
【０００９】
（実施形態）
以下、図面等を参照して、本発明の実施形態について説明する。
（第１実施形態）
図１は、第１実施形態のくじ１を説明する図である。
図１（Ａ）は、くじ１を開いた状態を、くじ１の内面側から見た図である。
図１（Ｂ）は、くじ１を閉じた状態を、第１片１０側から見た図である。
図１（Ｃ）は、図１（Ｂ）のＣ−Ｃ断面図である。
実施形態、図面では、説明と理解を容易にするために、ＸＹＺ直交座標系を設けた。この座標系は、図１（Ａ）の状態を基準に、左右方向Ｘ（左側Ｘ１、右側Ｘ２）、縦方向Ｙ（下側Ｙ１、上側Ｙ２）、厚さ方向Ｚ（下側Ｚ１、上側Ｚ２）を表す。図１（Ａ）は、折部３０を縦方向Ｙに平行に配置し、第２片２０を折部３０の右側Ｘ２に配置した状態である。
【００１０】
くじ１（隠蔽媒体）は、くじ引きに用いられる、いわゆる三角くじである。くじ１は、例えば、懸賞や福引きの当たり、はずれを決めるために用いられる。
くじ１は、第１片１０、第２片２０、折部３０、接着層４０（接着部）を備える。
第１片１０、第２片２０は、折部３０によって繋がっている。第１片１０、第２片２０は、例えば、紙材、樹脂シート材により形成される。
第１片１０、第２片２０の形状は、折部３０を対称軸として、ほぼ線対称である。すなわち、第１片１０は、凹部１５を備えるが、第２片２０は、凹部１５を備えない。凹部１５の詳細は、後述する。
第１片１０、第２片２０を折部３０で開いた形状は、正方形である。第１片１０、第２片２０の各形状は、折部３０を底辺とした直角二等辺三角形である。
第１片１０、第２片２０の内面には、当たり又ははずれの抽選情報１１、つまり隠蔽するための隠蔽情報が、印刷等により設けられる。
図１（Ａ）は、抽選情報１１は、第２片２０に設けられているが、これに限定されず、第１片１０及び第２片２０の少なくとも１つに設けられていればよい。
【００１１】
図１（Ａ）に示すように、第１片１０は、ミシン目１２（切取線）、凹部１５を備える。
ミシン目１２は、２つの斜辺１０ａ（底辺（折部３０）以外の辺）の内側に、斜辺１０ａに平行に設けられている。
なお、ミシン目１２は、くじ１を開く場合に切断される。なお、図１（Ａ）は、各構成を説明するために、ミシン目１２及びミシン目２２（後述する）を切断しないで、くじ１を開いた状態を図示した。
【００１２】
凹部１５は、２つの斜辺１０ａに、それぞれ設けられている。凹部１５は、ミシン目１２を跨がない形状であり、ミシン目１２よりも外側に設けられている。２つの凹部１５は、くじ１の左右方向Ｘに平行な中心線ＣＬを対称軸として、線対称の位置に配置されている。凹部１５は、斜辺１０ａを折部３０に向けて窪ませたような形状である。つまり、凹部１５は、折部３０とは反対側である左側Ｘ１に開口している。
凹部１５の縦方向Ｙの長さは、開口部での長さＬ１５が最大である。つまり、縦方向Ｙにおいて、凹部１５の開口部よりも右側Ｘ２（折部３０側）の長さＬ１５ａは、開口部での長さと同じか、これよりも小さい。
凹部１５の最深部は、円弧状であるがこれに限定されず、例えば、直線でもよい。但し、斜辺１０ａは、凹部１５内部以外には、折部３０に平行な部分を備えない。
【００１３】
第２片２０は、第１片１０と同様なミシン目２２を備える。
くじ１を折部３０で折った状態で、ミシン目１２，２２の位置は、一致する。
第２片２０は、くじ１を折部３０で折った状態において第１片１０の凹部１５に対応する部分に、凹部を備えない。つまり、斜辺２０ａは、一直線状である。このため、くじ１は、閉じた状態では、凹部１５が目立たないため、外観品質（見た目の質感）がよい。
折部３０は、くじ１を開く場合に、ヒンジとして機能する部分である。折部３０は、くじ１を形成する紙材等に、押罫、ミシン目等を加工することにより設けられる。
くじ１を開いた状態で、折部３０は、一方の対角線上に位置する。このため、くじ１は、対角線を折り線として、二つ折りされる。
【００１４】
接着層４０は、ミシン目１２，２２よりも外側の切り離し部５において、第１片１０の縁部と、第２片２０の縁部とを粘着する。これにより、第１片１０及び第２片２０が二つ折りされ閉じた状態が維持され、第１片１０の内面と、第２片２０の内面とが隠蔽される。接着層４０は、接着剤を塗布して形成される。なお、接着剤は、硬化するタイプ、硬化しないタイプ（粘着剤）のいずれでもよい。なお、実施形態では、接着は、粘着の概念を含む。
第１片１０の接着範囲１６、第２片２０の接着範囲２６は、それぞれ、ミシン目１２，２２、斜辺１０ａ，２０ａよりも一回り（例えば１ｍｍ程度）小さい範囲である。また、接着層４０は、凹部１５の周囲（例えば１ｍｍ程度）には設けられていない。このため、接着層４０は、凹部１５内に露出しない。
これにより、くじ１が他の部材等に粘着することを、抑制できる。また、この接着層４０が設けられていない範囲は、くじ１を開く場合にきっかけとなるのでくじ１を開きやく、さらに、製造時における接着剤の塗布ずれをある程度許容できる。
【００１５】
上記構成により、くじ１は、第１片１０、第２片２０を折部３０で折った状態を維持できるので、抽選情報１１を隠蔽できる。
また、図示は省略するが、くじ１を見開いて当たり、はずれを確認する場合には、切り離し部５をミシン目１２，２２で切り離した後、第１片１０、第２片２０を折部３０で開けばよい。
なお、くじ１の外形の大きさは、限定されない。くじ１は、例えば、折部３０の長さが２００ｍｍ程度であり、三角くじとしては大きなものでもよい。この場合には、くじ１は、例えば、新聞や書籍に挟み込む折り込みチラシ、個人に宛て送付するダイレクトメール、街頭等で配るチラシ等としても利用してもよい。この場合には、これらチラシ等がくじの形態であることにより、配布先等の興味を引くので、くじ１を開いて内容を確認するように促すことができる。
【００１６】
［くじ１の製造方法］
くじ１の製造方法の前工程、本工程について説明する。
［前工程］
前工程は、本工程（後述する）の前の工程である。
（配列シート１Ａ）
図２は、第１実施形態の配列シート１Ａ、個片工程を説明する図である。
図２（Ａ）に示すように、配列シート１Ａは、見開いた状態の複数のくじ１を、各辺部に連続して配列したもの、つまり多面付けしたものである。図２（Ａ）には、くじ１の外形を、二点鎖線で示した。
図２（Ａ）は、斜辺１０ａ，２０ａに平行にそれぞれ４つずつ配列し、合計１６個を配列した例を示すが、これらの数は、適宜設定できる。
配列シート１Ａの状態のくじ１は、折部３０、接着層４０が設けられていない。
【００１７】
（個片化工程、積層工程）
図２（Ｂ）に示すように、配列シート１Ａに対して、プレス加工をすることにより、ミシン目１２，２２、折部３０を設ける。また、複数のくじ１を外形で切断し個片化する（個片化工程）。
機械又は作業者は、個片化したくじ１を、方向を揃えて積層する（積層工程）。
これらの加工は、１つのプレス型で一工程で行うことができる。また、配列シート１Ａは、端材となる部分が少ない。このため、前工程において、くじ１は、工程が少なく、また、材料費が少ないので、低コストで製造できる。
なお、くじ１の加工は、上記形態に限定されない。くじ１は、例えば、抜き加工により正方形に個片化した後、凹部１５を穴あけパンチ等により形成してもよい。
【００１８】
［本工程］
本工程は、くじ１に接着剤を塗布したり、２つ折り等することにより、最終形態のくじ１（図１（Ｂ）の状態）を作製する工程である。
【００１９】
（くじ製造システム５０）
本工程で使用するくじ製造システム５０について説明する。
図３は、第１実施形態のくじ製造システム５０を説明する図である。
図３（Ａ）は、上側Ｚ２から見た状態の各構成の配置を説明する図である。
図３（Ｂ）は、下側Ｙ１から見た状態の各構成の配置を説明する図である。
図３は、破断線（二点鎖線）で示すように、ベルト７０の一部を省略した。
図４は、第１実施形態のテーブル６３の構成を説明する図（図３（Ｂ）の４−４部断面図）である。
図４（Ａ）は、ピン７５が凹部１５に挿入される前の状態を示す図である。
図４（Ｂ）は、ピン７５が凹部１５に挿入された状態を示す図である。
くじ製造システム５０は、くじ１を送り方向に送りながら、加工を行う。
送り方向は、左右方向Ｘ（折部３０に直交する方向）であり、上流側が左側Ｘ１であり、下流側が右側Ｘ２である。
なお、くじ製造システム５０の説明では、くじ１と同様なＸＹＺ座標系を用いる。なお、くじ製造システム５０のＸＹ平面は、水平面である。
【００２０】
くじ製造システム５０は、供給部６０、ベルト７０、接着剤塗布ローラ８０、折り加工部９０を備える。
供給部６０、接着剤塗布ローラ８０、折り加工部９０は、左側Ｘ１から右側Ｘ２に、この順に配置されている。
供給部６０は、ストッカ６１、くじ配置部６２、テーブル６３を備える。
ストッカ６１は、前加工において積載された複数のくじ１を収容する容器である。ストッカ６１は、ベルト７０の上側Ｚ２に配置されている。ストッカ６１は、くじ１を、第１片１０側が左側Ｘ１であり、第２片２０側が右側Ｘ２になるように収容する。
くじ配置部６２の詳細な説明は省略するが、くじ配置部６２は、ストッカ６１内の最も下側Ｚ１に配置されたくじ１を、１つずつテーブル６３上に落とすことにより、くじ１をテーブル６３上に配置する。
テーブル６３は、ストッカ６１の直下に配置されている。テーブル６３は、左右方向Ｘに平行な２つのスリット６５を備える。スリット６５の間隔Ｌ１５ｂと、くじ１の２つの凹部１５の間隔Ｌ１５ｂとは、等しい（図４（Ａ）参照）。
【００２１】
ベルト７０は、送りローラ７１によって駆動され、右回りに周回される。これにより、ベルト７０は、載置されたくじ１を、右側Ｘ２に送る。
ベルト７０は、複数のピン７５（送り突起）を備える。
ピン７５は、円柱状の部材である。ピン７５は、ベルト７０の外面に突出している。ピン７５は、２つ１組であり、左右方向Ｘにおいて、複数の組が配置されている。左右方向Ｘにおいて、隣合う組間の間隔Ｐ７５は、等しい。
１組の２つのピン７５は、縦方向Ｙに並べて配置されている。縦方向Ｙにおいて、ピン７５の間隔Ｌ１５ｂと、くじ１の２つの凹部１５の間隔Ｌ１５ｂ（図１（Ａ）、図４（Ａ）参照）とは、等しい。このため、ピン７５の間隔Ｌ１５ｂと、テーブル６３のスリット６５の間隔Ｌ１５ｂも等しい。
上側Ｚ２から見た状態で、ピン７５の直径Ｄ７５とは、くじ１の凹部１５の開口部での長さＬ１５ｂよりも若干小さい（図１（Ａ）、図４（Ａ）参照）。つまり、くじ１の凹部１５の形状は、ピン７５を挿入可能な形状である。
【００２２】
接着剤塗布ローラ８０は、くじ１の第２片２０に接着剤を塗布するローラである。接着剤塗布ローラ８０は、ローラ８１に凸版８２を取り付けたものである。
凸版８２は、第２片２０の接着範囲２６（図１（Ａ）参照）に対応したものである。ローラ８１の円周長（凸版８２を含む円周長）と、隣合うピン７５の組間の間隔Ｐ７５とは、等しい。
なお、図示は省略するが、くじ製造システム５０は、凸版８２に接着剤を付着させるローラ等を備える。
【００２３】
折り加工部９０は、くじ１を２つに折りに加工する装置である。
図３（Ｂ）に示すように、折り加工部９０は、当接部９１、挟みローラ部９５を備える。
当接部９１は、ベルト７０よりも右側Ｘ２かつ上側Ｚ２寄りに配置されている。
当接部９１は、送られてきたくじ１の先端を当接させる部分である。
当接部９１の断面形状は、平行に配置された下板９１ａ、上板９１ｂが、右端の当接板９１ｃで接続されたＵ字状である。このＵ字は、左下に向けて開口しており、また、下板９１ａ、上板９１ｂは、右側Ｘ２に至る程、上側Ｚ２に至るように傾斜している。
下板９１ａの下端は、ベルト７０の高さよりも低く、一方、上板９１ｂの下端は、ベルト７０の高さよりも高い。
挟みローラ部９５は、ベルト７０の右端よりも右側Ｘ２かつ下側Ｚ１寄りに配置されている。挟みローラ部９５は、２つのローラ９５ａを備える。ローラ９５ａの回転軸の軸方向は、縦方向Ｙに平行である。
【００２４】
（本工程）
図３から図５を参照しながら、本工程について説明する。
図５は、第１実施形態の湾曲工程、二つ折り工程を説明する図である。
図５は、折部３０近傍を拡大して図示した。
本工程は、くじ１に接着剤を塗布後、２つ折りにする工程である。
本工程は、以下の順に従う。
（くじ供給工程）
図３（Ｂ）に示すように、供給部６０は、くじ配置部６２を駆動することにより、ストッカ６１内のくじ１を、テーブル６３上に配置する。この場合、くじ配置部６２は、くじ１の凹部１５が、テーブル６３のスリット６５に重ねる。
【００２５】
（送り工程）
図４（Ａ）に示すように、ベルト７０の２つのピン７５は、テーブル６３の２つのスリット６５を通って、くじ１の凹部１５へと導かれる。
ピン７５の直径Ｄ７５は、くじ１の凹部１５の開口部での長さＬ１５ｂよりも若干小さいので、ピン７５は、ベルト７０が駆動されることにより、テーブル６３上に配置されたくじ１の凹部１５に対して、左側Ｘ１から挿入される。
図４（Ｂ）に示すように、これにより、ベルト７０は、テーブル６３上のくじ１を右側Ｘ２に送る。
くじ１は、右側Ｘ２に送られることにより、テーブル６３からベルト７０上に移り、その後は、ベルト７０上を移動する。
これにより、くじ１は、開かれた状態で、右側Ｘ２に送られる。
この場合、２つのピン７５がくじ１の２つの凹部１５に挿入されているので、くじ１は、ＸＹ面方向の回転を抑制できる。
【００２６】
なお、くじ配置部６２は、くじ１が送られることにより、テーブル６３上に次のくじ１を配置するスペースが形成されると、次のくじ１をテーブル６３上に配置する。また、ベルト７０は、継続して駆動される。つまり、送り工程は、継続して行われる。
これにより、ベルト７０は、複数のピン７５で、複数のくじ１を同時に送ることができる。
【００２７】
（接着剤塗布工程）
図４（Ａ）に示すように、接着剤塗布ローラ８０が回転駆動されることにより、凸版８２は、送られてきたくじ１の第２片２０の接着範囲２６（図１（Ｂ）参照）に、接着剤を塗布する。
くじ１への接着剤の塗布を終了後、ピン７５が接着剤塗布ローラ８０の直下を通過する状態では、凸版８２以外のローラ８１の外周分が下側Ｚ１に配置される。ローラ８１の際下端の下端高さＨ８１は、ピン７５の高さよりも高い（図３（Ａ）参照）。このため、ピン７５と接着剤塗布ローラ８０とは、干渉しない。
接着剤塗布ローラ８０の円周長（凸版８２を含む円周長）と、左右方向Ｘに隣合うピン７５の組間の間隔Ｐ７２（図３（Ｂ）参照）、つまりとは、等しい。このため、次のくじ１の第２片２０の先端が接着剤塗布ローラ８０の直下を通過する状態で、凸版８２は、次のくじ１の第２片２０の接着範囲２６に対して、接着剤の塗布を開始する。
【００２８】
（湾曲工程）
湾曲工程は、以下の順に従って、くじ１を湾曲させる工程である。
（１）図５（Ａ）に示すように、接着剤塗布後のくじ１は、右側Ｘ２に送られることにより、折り加工部９０の当接部９１の下板９１ａによって、下板９１ａ及び上板９１ｂ間内に導かれる。
（２）第２片２０の右側Ｘ２の先端、つまり頂点が、当接部９１の当接板９１ｃに当接する。
（３）図５（Ｂ）に示すように、第２片２０の右側Ｘ２先端が当接部９１の当接板９１ｃに当接した状態で、くじ１が右側Ｘ２に送られることにより、くじ１は、曲げられて湾曲する。当接部９１のＵ字が左下に向けて開口しているので、この場合、くじ１は、下側Ｚ１に膨らむ凸形状になるように湾曲する。
【００２９】
（二つ折り工程）
図５（Ｃ）に示すように、くじ１は、湾曲した状態で、ベルト７０のピン７５で送られることにより、挟みローラ部９５の２つのローラ９５ａに挟まれる。
図５（Ｄ）に示すように、その後、くじ１は、２つのローラ９５ａ間を通って下側Ｚ１に送られる。
これにより、くじ１は、折部３０で二つ折りに折られ、かつ、接着層４０によって、第１片１０及び第２片２０間が接着する。
なお、ローラ９５ａは、丁度、くじ１が折部３０で折られる位置に配置されている。つまり、ローラ９５ａは、くじ１を挟み込む状態において、凸形状の下端部分が折部３０と一致するように配置されている。
このため、くじ１は、折部３０を先端として、ローラ９５ａに挟まれる。
図示は、省略するが、くじ１は、その後、２つのローラ９５ａ間から下側に落下して、収容容器に収容される。
【００３０】
このように、本工程では、凹部１５にピン７５を挿入した状態で、くじ１を右側Ｘ２に送る。このため、本工程では、個片化された状態のくじ１を、対角線である折部３０を縦方向Ｙ（つまり、送り方向に直交する方向）にし、かつ、折部３０とは異なる対角線を左右方向Ｘ（つまり、送り方向）にして、二つ折り等の加工をすることができる。
このため、くじ１は、接着剤の塗布、二つ折り加工を手作業によらず加工できる。これにより、くじ１は、低コストで製造できる。
【００３１】
以上説明したように、くじ１は、低コストで製造できる。
【００３２】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図６は、第２実施形態のくじ２０１を説明する図である。
図６（Ａ）は、くじ２０１を開いた状態を、くじ２０１の内面側から見た図である。
図６（Ｂ）は、くじ２０１を閉じた状態を、第１片１０側から見た図である。
くじ２０１を開いた状態の形状は、楕円である。
くじ２０１は、長軸上に折部３０を備えている。このため、くじ２０１は、折部３０で折ることにより、二つ折り可能である。
くじ２０１は、凹部１５を備えているので、第１実施形態と同様な製造システムで製造できる。
【００３３】
このように、くじ２０１は、外形が楕円であっても、低コストで製造できる。
なお、くじを開いた形状は、折部で二つ折り可能であれば、正方形、楕円等に限定されない。くじを開いた形状は、例えば、円形、正方形以外の多角形等でもよい。
【００３４】
（第３実施形態）
図７は、第３実施形態のくじ３０１を説明する図である。
図７（Ａ）は、くじ３０１を開いた状態を、くじ３０１の内面側から見た図である。
図７（Ｂ）は、くじ３０１を閉じた状態を、第１片３１０側から見た図である。
図７（Ｃ）は、くじ３０１にピン３７５を引っ掛けた状態を説明する図である。
図７（Ａ）、図７（Ｂ）に示すように、第１片の２つの斜辺１０ａには、凹部の代わりに、それぞれ凸部３１５が設けられている。
凸部３１５は、斜辺１０ａから、左側Ｘ１、つまり折部３０とは反対側に向けて突出している。
図７（Ｃ）に示すように、くじ３０１を開いた状態では、ピン３７５をこの凸部３１５に引っ掛けることができる。
このため、くじ３０１は、第１実施形態と同様な製造システムで製造でき、低コストで製造できる。
【００３５】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３６】
（変形形態）
実施形態において、隠蔽媒体は、くじである例を示したが、これに限定されない。
隠蔽媒体は、例えば、１つの施設内において、各部署で記入した隠蔽情報を、他の部署へと伝えるために利用されるものであってもよい。
【符号の説明】
【００３７】
１，２０１，３０１…くじ    １０，３１０…第１片    １０ａ，２０ａ…斜辺    １１…抽選情報    １５…凹部    １６，２６…接着範囲    ２０，３２０…第２片    ３０…折部    ４０…接着層    ５０…くじ製造システム    ７０…ベルト    ７５，３７５…ピン    ８０…接着剤塗布ローラ    ８２…凸版    ９０…折り加工部    ９１…当接部    ９５…挟みローラ部    ９５ａ…ローラ    ３１５…凸部
【図１】
2018008442.tif 000003
【図２】
2018008442.tif 000004
【図３】
2018008442.tif 000005
【図４】
2018008442.tif 000006
【図５】
2018008442.tif 000007
【図６】
2018008442.tif 000008
【図７】
2018008442.tif 000009